(57)【要約】【課題】  アクセス網全体で処理可能な量を超えるトラヒックが一部のアクセスポイントから発生した場合でも、他のアクセスポイントにおける通信を確保する。【解決手段】  本発明は、アクセス通信網における各アクセスポイントからのトラヒック量を監視し、トラヒック処理による負荷が増加した場合、トラヒック量が増加したアクセスポイントとそのアクセスポイントが帰属する通信装置のグループと、他のアクセスポイントとその通信装置のグループに分けて、各グループごとにトラヒック処理の分散を行う。また、グループリストと通信装置の負荷量に基づいてトラヒック処理が分散するように重み情報を求め、グループ分けに利用する。【選択図】  図４
2014060610.tif 000002
【特許請求の範囲】
【請求項１】
アクセス通信網において、アクセスポイントから発生するトラヒックの処理を複数の通信装置に負荷を分散して処理するための、通信網上の通信設備におけるトラヒック処理の負荷分散装置であって、
前記アクセス通信網内の前記アクセスポイント及び前記複数の通信装置と接続され、
前記通信装置で処理しているアクセスポイント単位のトラヒック量、大量のトラヒックが発生しているアクセスポイントが帰属する通信装置のAグループと、他のアクセスポイントが帰属する通信装置のBグループの各グループリストを格納する記憶手段と、負荷量監視手段と、グループ計算手段と、グループ解除手段とを有し、
前記負荷量監視手段は、
前記記憶手段の前記アクセス通信網の通信装置のトラヒック量に基づいて、該アクセス通信網の全ての通信装置の現在の負荷量の和を算出し、該現在の負荷量の和が所定の閾値以下である場合は、前記グループ解除手段を呼び出し、該現在の負荷量の和が該所定の閾値より大きい場合は、前記グループリストのAグループに属している通信装置における現在の最大負荷量を算出し、該最大負荷量が該所定の閾値より大きい場合は、前記グループ計算手段を呼び出す手段を有し、
前記グループ計算手段は、
前記負荷量監視手段からの呼び出しにより起動され、前記記憶手段のAグループのグループリストに通信装置及びアクセスポイントがある場合は、該Aグループから負荷量の増加分が最大のアクセスポイントを前記記憶手段のBグループのグループリストに設定し、該Aグループに属している全てのアクセスポイントの負荷量を処理可能な最小の通信装置の数ｎを算出し、該通信装置の数ｎが該Aグループ及び該Bグループの全装置台数より少ない場合は、ｎ個の通信装置を該Aグループのグループリストに設定し、各アクセスポイントに対して、該アクセスポイントが帰属する通信装置のグループリストを送信する手段を有し、
前記グループ解除手段は、
前記負荷量監視手段からの呼び出しにより起動され、前記記憶手段のBグループのグループリストに属する全ての通信装置及びアクセスポイントを前記Aグループのグループリストに設定し、前記記憶手段の前記グループリストを更新し、各アクセスポイントに対して、該アクセスポイントが帰属する通信装置のグループリストを送信する手段を有する
ことを特徴とする通信網上の通信設備におけるトラヒック処理の負荷分散装置。
【請求項２】
アクセス通信網において、アクセスポイントから発生するトラヒックの処理を複数の通信装置に負荷を分散して処理するための、通信網上の通信設備におけるトラヒック処理の負荷分散装置であって、
前記アクセス通信網内の前記アクセスポイント及び前記複数の通信装置と接続され、
前記通信装置で処理しているアクセスポイント単位のトラヒック量、大量のトラヒックが発生しているアクセスポイントが帰属する通信装置のAグループと、他のアクセスポイントが帰属する通信装置のBグループの各グループリストを格納する記憶手段と、負荷量監視手段と、グループ計算手段と、グループ解除手段と、重み情報計算手段と、を有し、
前記負荷量監視手段は、
前記記憶手段の前記アクセス通信網の通信装置のトラヒック量に基づいて、該アクセス通信網の全ての通信装置の現在の負荷量の和を算出し、該現在の負荷量の和が所定の閾値以下である場合は、前記グループ解除手段を呼び出し、該現在の負荷量の和が該所定の閾値より大きい場合は、前記グループリストのAグループに属している通信装置における現在の最大負荷量を算出し、該最大負荷量が該所定の閾値より大きい場合は、前記グループ計算手段を呼び出す手段を有し、
前記グループ計算手段は、
前記負荷量監視手段からの呼び出しにより起動され、前記記憶手段のAグループのグループリストに通信装置及びアクセスポイントがある場合は、該Aグループから負荷量の増加分が最大のアクセスポイントを前記記憶手段のBグループのグループリストに設定し、該Aグループに属している全てのアクセスポイントの負荷量を処理可能な最小の通信装置の数ｎを算出し、該通信装置の数ｎが該Aグループ及び該Bグループの全装置台数より少ない場合は、ｎ個の通信装置を該Aグループのグループリストに設定し、前記重み情報計算手段を呼び出して、該Aグループ及び該Bグループの重み情報を取得して、各アクセスポイントに対して、該アクセスポイントが帰属する通信装置のグループリストと該重み情報を送信する手段を有し、
前記グループ解除手段は、
前記負荷量監視手段からの呼び出しにより起動され、前記記憶手段のBグループのグループリストに属する全ての通信装置及びアクセスポイントを前記記憶手段のAグループのグループリストに設定し、前記記憶手段の前記グループリストを更新し、前記重み情報計算手段を呼び出して、該Aグループの重み情報を取得し、各アクセスポイントに対して、該アクセスポイントが帰属する通信装置のグループリスト及び該Aグループの重み情報を送信する手段を有し、
前記重み情報計算手段は、
前記グループ計算手段及び前記グループ解除手段からの呼び出しにより起動され、該グループ計算手段で設定された前記グループリストと各通信装置の負荷量に基づいて、前記Aグループの通信装置一台毎に分散するトラヒック割合と前記Bグループの通信装置一台毎に分散するトラヒック割合を求め、トラヒック処理が分散するように重み情報を設定する手段を有する
ことを特徴とする通信網上の通信設備におけるトラヒック処理の負荷分散装置。
【請求項３】
アクセス通信網において、アクセスポイントから発生するトラヒックの処理を複数の通信装置に負荷を分散して処理するための、通信網上の通信設備におけるトラヒック処理の負荷分散装置であって、
前記アクセス通信網内の前記アクセスポイント及び前記複数の通信装置と接続され、
前記通信装置で処理しているアクセスポイント単位のトラヒック量、大量のトラヒックが発生しているアクセスポイントが帰属する通信装置のAグループと、他のアクセスポイントが帰属する通信装置のBグループの各グループリストを格納する記憶手段と、通信処理手段と、負荷量監視手段と、グループ計算手段と、グループ解除手段とを有し、
前記通信処理手段は、
前記アクセス通信網内の通信装置と同様にトラヒック処理を行う手段を有し、
前記負荷量監視手段は、
前記記憶手段の前記アクセス通信網の通信装置及び前記通信処理手段のトラヒック量に基づいて、該アクセス通信網の全ての通信装置の現在の負荷量の和を算出し、該現在の負荷量の和が所定の閾値以下である場合は、前記グループ解除手段を呼び出し、該現在の負荷量の和が該所定の閾値より大きい場合は、前記グループリストのAグループに属している通信装置における現在の最大負荷量を算出し、該最大負荷量が該所定の閾値より大きい場合は、前記グループ計算手段を呼び出す手段を有し、
前記グループ計算手段は、
前記負荷量監視手段からの呼び出しにより起動され、前記記憶手段のAグループのグループリストに通信装置及びアクセスポイントがある場合は、該Aグループから負荷量の増加分が最大のアクセスポイントを前記記憶手段のBグループのグループリストに設定し、該Aグループに属している全てのアクセスポイントの負荷量を処理可能な最小の通信装置の数ｎを算出し、該通信装置の数ｎが該Aグループ及び該Bグループの全装置台数より少ない場合は、ｎ個の通信装置を該Aグループのグループリストに設定し、各アクセスポイントに対して、該アクセスポイントが帰属する通信装置のグループリストを送信する手段を有し、
前記グループ解除手段は、
前記負荷量監視手段からの呼び出しにより起動され、前記記憶手段のBグループのグループリストに属する全ての通信装置及びアクセスポイントを前記記憶手段のAグループのグループリストに設定し、前記記憶手段の前記グループリストを更新し、各アクセスポイントに対して、該アクセスポイントが帰属する通信装置のグループリストを送信する手段を有する
ことを特徴とする通信網上の通信設備におけるトラヒック処理の負荷分散装置。
【請求項４】
アクセス通信網において、アクセスポイントから発生するトラヒックの処理を複数の通信装置に負荷を分散して処理するための、通信網上の通信設備におけるトラヒック処理の負荷分散装置であって、
前記アクセス通信網内の前記アクセスポイント及び前記複数の通信装置と接続され、
前記通信装置で処理しているアクセスポイント単位のトラヒック量、大量のトラヒックが発生しているアクセスポイントが帰属する通信装置のAグループと、他のアクセスポイントが帰属する通信装置のBグループの各グループリストを格納する記憶手段と、通信処理手段と、負荷量監視手段と、グループ計算手段と、グループ解除手段と、重み情報計算手段と、を有し、
前記通信処理手段は、
前記アクセス通信網内の通信装置と同様にトラヒック処理を行う手段を有し、
前記負荷量監視手段は、
前記記憶手段の前記アクセス通信網の通信装置及び前記通信処理手段のトラヒック量に基づいて、該アクセス通信網の全ての通信装置の現在の負荷量の和を算出し、該現在の負荷量の和が所定の閾値以下である場合は、前記グループ解除手段を呼び出し、該現在の負荷量の和が該所定の閾値より大きい場合は、前記グループリストのAグループに属している通信装置における現在の最大負荷量を算出し、該最大負荷量が該所定の閾値より大きい場合は、前記グループ計算手段を呼び出す手段を有し、
前記グループ計算手段は、
前記負荷量監視手段からの呼び出しにより起動され、前記記憶手段のAグループのグループリストに通信装置及びアクセスポイントがある場合は、該Aグループから負荷量の増加分が最大のアクセスポイントを前記記憶手段のBグループのグループリストに設定し、該Aグループに属している全てのアクセスポイントの負荷量を処理可能な最小の通信装置の数ｎを算出し、該通信装置の数ｎが該Aグループ及び該Bグループの全装置台数より少ない場合は、ｎ個の通信装置を該Aグループのグループリストに設定し、前記重み情報計算手段を呼び出して、該Aグループ及び該Bグループの重み情報を取得して、各アクセスポイントに対して、該アクセスポイントが帰属する通信装置のグループリストと該重み情報を送信する手段を有し、
前記グループ解除手段は、
前記負荷量監視手段からの呼び出しにより起動され、前記記憶手段のBグループのグループリストに属する全ての通信装置及びアクセスポイントを前記記憶手段のAグループのグループリストに設定し、前記記憶手段の前記グループリストを更新し、前記重み情報計算手段を呼び出して、該Aグループの重み情報を取得し、各アクセスポイントに対して、該アクセスポイントが帰属する通信装置のグループリスト及び該Aグループの重み情報を送信する手段を有し、
前記重み情報計算手段は、
前記グループ計算手段及び前記グループ解除手段からの呼び出しにより起動され、該グループ計算手段で設定された前記グループリストと各通信装置の負荷量に基づいて、前記Aグループの通信装置一台毎に分散するトラヒック割合と前記Bグループの通信装置一台毎に分散するトラヒック割合を求め、トラヒック処理が分散するように重み情報を設定する手段を有する
ことを特徴とする通信網上の通信設備におけるトラヒック処理の負荷分散装置。
【請求項５】
アクセス通信網において、アクセスポイントから発生するトラヒックの処理を複数の通信装置に負荷を分散して処理するための、通信網上の通信設備におけるトラヒック処理の負荷分散方法であって、
前記アクセス通信網内の前記アクセスポイント及び前記複数の通信装置と接続され、
前記通信装置で処理しているアクセスポイント単位のトラヒック量、大量のトラヒックが発生しているアクセスポイントが帰属する通信装置のAグループと、他のアクセスポイントが帰属する通信装置のBグループの各グループリストを格納する記憶手段と、負荷量監視手段と、グループ計算手段と、グループ解除手段とを有する装置において、
前記負荷量監視手段が、前記記憶手段の前記アクセス通信網の通信装置のトラヒック量に基づいて、該アクセス通信網の全ての通信装置の現在の負荷量の和を算出し、該現在の負荷量の和が所定の閾値以下である場合は、グループ解除ステップを呼び出し、該現在の負荷量の和が該所定の閾値より大きい場合は、前記グループリストのAグループに属している通信装置における現在の最大負荷量を算出し、該最大負荷量が該所定の閾値より大きい場合は、グループ計算ステップを呼び出す負荷量監視ステップと、
前記グループ計算手段が、前記負荷量監視ステップから呼び出されると、前記記憶手段のAグループのグループリストに通信装置及びアクセスポイントがある場合は、該Aグループから負荷量の増加分が最大のアクセスポイントを前記記憶手段のBグループのグループリストに設定し、該Aグループに属している全てのアクセスポイントの負荷量を処理可能な最小の通信装置の数ｎを算出し、該通信装置の数ｎが該Aグループ及び該Bグループの全装置台数より少ない場合は、ｎ個の通信装置を該Aグループのグループリストに設定し、各アクセスポイントに対して、該アクセスポイントが帰属する通信装置のグループリストを送信するグループ計算ステップと、
前記グループ解除手段が、前記負荷量監視ステップから呼び出されると、前記記憶手段のBグループのグループリストに属する全ての通信装置及びアクセスポイントを前記Aグループのグループリストに設定し、前記記憶手段の前記グループリストを更新し、各アクセスポイントに対して、該アクセスポイントが帰属する通信装置のグループリストを送信するグループ解除ステップと、
を行うことを特徴とする通信網上の通信設備におけるトラヒック処理の負荷分散方法。
【請求項６】
アクセス通信網において、アクセスポイントから発生するトラヒックの処理を複数の通信装置に負荷を分散して処理するための、通信網上の通信設備におけるトラヒック処理の負荷分散方法であって、
前記アクセス通信網内の前記アクセスポイント及び前記複数の通信装置と接続され、
前記通信装置で処理しているアクセスポイント単位のトラヒック量、大量のトラヒックが発生しているアクセスポイントが帰属する通信装置のAグループと、他のアクセスポイントが帰属する通信装置のBグループの各グループリストを格納する記憶手段と、負荷量監視手段と、グループ計算手段と、グループ解除手段と、重み情報計算手段と、を有する装置において、
前記負荷量監視手段が、前記記憶手段の前記アクセス通信網の通信装置のトラヒック量に基づいて、該アクセス通信網の全ての通信装置の現在の負荷量の和を算出し、該現在の負荷量の和が所定の閾値以下である場合は、グループ解除ステップを呼び出し、該現在の負荷量の和が該所定の閾値より大きい場合は、前記グループリストのAグループに属している通信装置における現在の最大負荷量を算出し、該最大負荷量が該所定の閾値より大きい場合は、グループ計算ステップを呼び出す負荷量監視ステップと、
前記グループ計算手段が、前記負荷量監視ステップから呼び出されると、前記記憶手段のAグループのグループリストに通信装置及びアクセスポイントがある場合は、該Aグループから負荷量の増加分が最大のアクセスポイントを前記記憶手段のBグループのグループリストに設定し、該Aグループに属している全てのアクセスポイントの負荷量を処理可能な最小の通信装置の数ｎを算出し、該通信装置の数ｎが該Aグループ及び該Bグループの全装置台数より少ない場合は、ｎ個の通信装置を該Aグループのグループリストに設定し、重み情報計算ステップを呼び出して、該Aグループ及び該Bグループの重み情報を取得して、各アクセスポイントに対して、該アクセスポイントが帰属する通信装置のグループリストと該重み情報を送信するグループ計算ステップと、
前記グループ解除手段が、前記負荷量監視ステップから呼び出されると、前記記憶手段のBグループのグループリストに属する全ての通信装置及びアクセスポイントを前記記憶手段のAグループのグループリストに設定し、前記記憶手段の前記グループリストを更新し、重み情報計算手段ステップを呼び出して、該Aグループの重み情報を取得し、各アクセスポイントに対して、該アクセスポイントが帰属する通信装置のグループリスト及び該Aグループの重み情報を送信するグループ解除ステップと、
前記重み情報計算手段が、前記グループ計算ステップ及び前記グループ解除ステップから呼び出されると、該グループ計算ステップで設定された前記グループリストと各通信装置の負荷量に基づいて、前記Aグループの通信装置一台毎に分散するトラヒック割合と前記Bグループの通信装置一台毎に分散するトラヒック割合を求め、トラヒック処理が分散するように重み情報を設定する重み情報計算ステップと、
を行うことを特徴とする通信網上の通信設備におけるトラヒック処理の負荷分散方法。
【請求項７】
アクセス通信網において、アクセスポイントから発生するトラヒックの処理を複数の通信装置に負荷を分散して処理するための、通信網上の通信設備におけるトラヒック処理の負荷分散方法であって、
前記アクセス通信網内の前記アクセスポイント及び前記複数の通信装置と接続され、
前記通信装置で処理しているアクセスポイント単位のトラヒック量、大量のトラヒックが発生しているアクセスポイントが帰属する通信装置のAグループと、他のアクセスポイントが帰属する通信装置のBグループの各グループリストを格納する記憶手段と、通信処理手段と、負荷量監視手段と、グループ計算手段と、グループ解除手段とを有する装置において、
前記通信処理手段が、前記アクセス通信網内の通信装置と同様にトラヒック処理を行う通信処理ステップと、
前記負荷量監視手段が、前記記憶手段の前記アクセス通信網の通信装置及び前記通信処理ステップで得られたトラヒック量に基づいて、該アクセス通信網の全ての通信装置の現在の負荷量の和を算出し、該現在の負荷量の和が所定の閾値以下である場合は、グループ解除ステップを呼び出し、該現在の負荷量の和が該所定の閾値より大きい場合は、前記グループリストのAグループに属している通信装置における現在の最大負荷量を算出し、該最大負荷量が該所定の閾値より大きい場合は、グループ計算ステップを呼び出す負荷量監視ステップと、
前記グループ計算手段が、前記負荷量監視ステップから呼び出されると、前記記憶手段のAグループのグループリストに通信装置及びアクセスポイントがある場合は、該Aグループから負荷量の増加分が最大のアクセスポイントを前記記憶手段のBグループのグループリストに設定し、該Aグループに属している全てのアクセスポイントの負荷量を処理可能な最小の通信装置の数ｎを算出し、該通信装置の数ｎが該Aグループ及び該Bグループの全装置台数より少ない場合は、ｎ個の通信装置を該Aグループのグループリストに設定し、各アクセスポイントに対して、該アクセスポイントが帰属する通信装置のグループリストを送信するグループ計算ステップと、
前記グループ解除手段が、前記負荷量監視ステップから呼び出されると、前記記憶手段のBグループのグループリストに属する全ての通信装置及びアクセスポイントを前記記憶手段のAグループのグループリストに設定し、前記記憶手段の前記グループリストを更新し、各アクセスポイントに対して、該アクセスポイントが帰属する通信装置のグループリストを送信するグループ解除ステップと、
を行うことを特徴とする通信網上の通信設備におけるトラヒック処理の負荷分散方法。
【請求項８】
アクセス通信網において、アクセスポイントから発生するトラヒックの処理を複数の通信装置に負荷を分散して処理するための、通信網上の通信設備におけるトラヒック処理の負荷分散方法であって、
前記アクセス通信網内の前記アクセスポイント及び前記複数の通信装置と接続され、
前記通信装置で処理しているアクセスポイント単位のトラヒック量、大量のトラヒックが発生しているアクセスポイントが帰属する通信装置のAグループと、他のアクセスポイントが帰属する通信装置のBグループの各グループリストを格納する記憶手段と、通信処理手段と、負荷量監視手段と、グループ計算手段と、グループ解除手段と、重み情報計算手段と、を有する装置において、
前記通信処理手段が、前記アクセス通信網内の通信装置と同様にトラヒック処理を行う通信処理ステップと、
前記負荷量監視手段が、前記記憶手段の前記アクセス通信網の通信装置及び前記通信処理ステップで得られたトラヒック量に基づいて、該アクセス通信網の全ての通信装置の現在の負荷量の和を算出し、該現在の負荷量の和が所定の閾値以下である場合は、グループ解除ステップを呼び出し、該現在の負荷量の和が該所定の閾値より大きい場合は、前記グループリストのAグループに属している通信装置における現在の最大負荷量を算出し、該最大負荷量が該所定の閾値より大きい場合は、グループ計算ステップを呼び出す負荷監視ステップと、
前記グループ計算手段が、前記負荷量監視ステップから呼び出されると、前記記憶手段のAグループのグループリストに通信装置及びアクセスポイントがある場合は、該Aグループから負荷量の増加分が最大のアクセスポイントを前記記憶手段のBグループのグループリストに設定し、該Aグループに属している全てのアクセスポイントの負荷量を処理可能な最小の通信装置の数ｎを算出し、該通信装置の数ｎが該Aグループ及び該Bグループの全装置台数より少ない場合は、ｎ個の通信装置を該Aグループのグループリストに設定し、重み情報計算ステップを呼び出して、該Aグループ及び該Bグループの重み情報を取得して、各アクセスポイントに対して、該アクセスポイントが帰属する通信装置のグループリストと該重み情報を送信するグループ計算ステップと、
前記グループ解除手段が、前記負荷量監視ステップから呼び出されると、前記記憶手段のBグループのグループリストに属する全ての通信装置及びアクセスポイントを前記記憶手段のAグループのグループリストに設定し、前記記憶手段の前記グループリストを更新し、重み情報計算ステップを呼び出して、該Aグループの重み情報を取得し、各アクセスポイントに対して、該アクセスポイントが帰属する通信装置のグループリスト及び該Aグループの重み情報を送信するグループ解除ステップと、
前記重み情報計算手段が、前記グループ計算ステップ及び前記グループ解除ステップから呼び出されると、該グループ計算ステップで設定された前記グループリストと各通信装置の負荷量に基づいて、前記Aグループの通信装置一台毎に分散するトラヒック割合と前記Bグループの通信装置一台毎に分散するトラヒック割合を求め、トラヒック処理が分散するように重み情報を設定する重み情報計算ステップと、
を行うことを特徴とする通信網上の通信設備におけるトラヒック処理の負荷分散方法。
【発明の詳細な説明】
【技術分野】
【０００１】
本発明は、通信網上の通信設備におけるトラヒック処理の負荷分散装置及び方法に係り、特に、通信網において、アクセスポイントから発生するトラヒックの処理を複数の通信装置に分散して処理する場合の負荷を分散するための通信網上の通信設備におけるトラヒック処理の負荷分散装置及び方法に関する。
【０００２】
詳しくは、通信網において、アクセスポイントから発生するトラヒックの処理を複数の通信装置に分散するシステムに関する発明である。複数のアクセスポイントを収容しているアクセス通信網（図1に示す）を対象に、各アクセスポイントからのトラヒック量を監視し、災害発生などによる一部のアクセスポイントから大量のトラヒックが発生した場合に、通信網全体のトラヒック処理機能の低下を防ぎつつ、通信装置のトラヒック処理による負荷を分散させるために、大量のトラヒックを発生させるアクセスポイントと、他のアクセスポイントとで、別々に負荷を分散する方法と、その装置に関するものである。
【背景技術】
【０００３】
アクセス通信網を対象とした、トラヒック処理による負荷を分散するための通信網の構成については、従来より検討されている。3GPP（Third Generation Partnership Project）では、Iu-flex（3G用の技術）、S1-flex（LTE用の技術）といった、一台のアクセスポイント（基地局）が複数の通信装置に帰属することで、トラヒック処理による負荷を分散するというアクセス通信網の構成について、移動体通信を対象として検討を進めており、通信キャリアに導入されている（例えば、非特許文献1、特許文献1、特許文献2参照）。
【０００４】
従来技術では、アクセス通信網において、一台のアクセスポイントが複数の通信装置に接続しており、また、通信装置も複数のアクセスポイントと接続する構成となっている（図2）。ユーザがアクセスポイントを介して通信を行う場合、アクセスポイントは自律的に接続すべき通信装置を選択する。アクセスポイントがどの通信装置を選択するかについては、ラウンドロビンを用いる方法（例えば、非特許文献1参照）や、アクセス通信網内全ての通信装置の負荷を監視し、一番負荷の小さい通信装置を選択する方法（例えば、特許文献2参照）などがあるが、いずれも、トラヒック処理による負荷を全通信装置に対して均等に分散する方法である。これにより、一台の通信装置では処理しきれないトラヒックがアクセスポイントから発生しても、複数の通信装置にトラヒック処理を分散することで、通信装置で輻輳を起こさずトラヒックを処理することが可能となる。
【０００５】
しかし、災害発生時やイベント開催時などの場合、通信設備設計時の想定を超える大量のトラヒックが一部のアクセスポイントから発生する可能性が考えられる。この場合、アクセス通信網内全ての通信装置にトラヒックを分散しても処理しきれずに、全ての通信装置で同時に輻輳が起こり、アクセス通信網全体のトラヒック処理能力が大幅に低下し、大量のトラヒックが発生しているアクセスポイントを利用しているユーザだけでなく、他のアクセスポイントを利用しているユーザに関しても通信出来ない状態になることが想定される。
【先行技術文献】
【特許文献】
【０００６】
【特許文献１】特開２００８−０５３８７０号公報
【特許文献２】特開２００９−２９６２０４号公報
【非特許文献】
【０００７】
【非特許文献１】3GPP, "3GPP system architecture evolution (SAE): Report on technical options and conclusions," TR 23.882, Ver. 8.0.0 , Sep. 2008.
【発明の概要】
【発明が解決しようとする課題】
【０００８】
災害発生時、イベント開催時において、アクセス通信網全体のトラヒック処理能力を超えるトラヒックの発生により、全ての通信装置で同時に輻輳が起きることを防ぎつつ、トラヒック処理による負荷を分散することが重要と考えられる。しかし、従来技術では、全ての通信装置でトラヒック処理による負荷が均等になるようにトラヒックを分散しているため、アクセス通信網全体の処理能力を超えるトラヒックが一部のアクセスポイントから発生した場合、全ての通信装置で同時に輻輳が起こり、アクセス通信網全体のトラヒック処理機能が低下する。これにより、他のアクセスポイントを利用しているユーザも通信が出来ない状態になる可能性があり、おける輻輳の影響がアクセス通信網全体に拡大する要因となる。
【０００９】
そのため、トラヒック処理を複数の通信装置に分散する際には、大量のトラヒックが発生しているアクセスポイントと、他のアクセスポイントで、トラヒックを処理する通信装置を別々にし、輻輳が起こる通信装置を一部分に抑えることが必要と考えられる。
【００１０】
本発明は、上記の点に鑑みなされたもので、アクセス通信網全体で処理可能な量を超えるトラヒックが一部のアクセスポイントから発生した場合に、他のアクセスポイントにおける通信を確保し、輻輳による影響の拡大を抑えることが可能な通信網上の通信設備におけるトラヒック処理の負荷分散装置及び方法を提供することを目的とする。
【課題を解決するための手段】
【００１１】
上記の課題を解決するため、本発明（請求項１）は、アクセス通信網において、アクセスポイントから発生するトラヒックの処理を複数の通信装置に負荷を分散して処理するための、通信網上の通信設備におけるトラヒック処理の負荷分散装置であって、
前記アクセス通信網内の前記アクセスポイント及び前記複数の通信装置と接続され、
前記通信装置で処理しているアクセスポイント単位のトラヒック量、大量のトラヒックが発生しているアクセスポイントが帰属する通信装置のAグループと、他のアクセスポイントが帰属する通信装置のBグループの各グループリストを格納する記憶手段と、負荷量監視手段と、グループ計算手段と、グループ解除手段とを有し、
前記負荷量監視手段は、
前記記憶手段の前記アクセス通信網の通信装置のトラヒック量に基づいて、該アクセス通信網の全ての通信装置の現在の負荷量の和を算出し、該現在の負荷量の和が所定の閾値以下である場合は、前記グループ解除手段を呼び出し、該現在の負荷量の和が該所定の閾値より大きい場合は、前記グループリストのAグループに属している通信装置における現在の最大負荷量を算出し、該最大負荷量が該所定の閾値より大きい場合は、前記グループ計算手段を呼び出す手段を有し、
前記グループ計算手段は、
前記負荷量監視手段からの呼び出しにより起動され、前記記憶手段のAグループのグループリストに通信装置及びアクセスポイントがある場合は、該Aグループから負荷量の増加分が最大のアクセスポイントを前記記憶手段のBグループのグループリストに設定し、該Aグループに属している全てのアクセスポイントの負荷量を処理可能な最小の通信装置の数ｎを算出し、該通信装置の数ｎが該Aグループ及び該Bグループの全装置台数より少ない場合は、ｎ個の通信装置を該Aグループのグループリストに設定し、各アクセスポイントに対して、該アクセスポイントが帰属する通信装置のグループリストを送信する手段を有し、
前記グループ解除手段は、
前記負荷量監視手段からの呼び出しにより起動され、前記記憶手段のBグループのグループリストに属する全ての通信装置及びアクセスポイントを前記Aグループのグループリストに設定し、前記記憶手段の前記グループリストを更新し、各アクセスポイントに対して、該アクセスポイントが帰属する通信装置のグループリストを送信する手段を有する。
【００１２】
本発明（請求項２）は、アクセス通信網において、アクセスポイントから発生するトラヒックの処理を複数の通信装置に負荷を分散して処理するための、通信網上の通信設備におけるトラヒック処理の負荷分散装置であって、
前記アクセス通信網内の前記アクセスポイント及び前記複数の通信装置と接続され、
前記通信装置で処理しているアクセスポイント単位のトラヒック量、大量のトラヒックが発生しているアクセスポイントが帰属する通信装置のAグループと、他のアクセスポイントが帰属する通信装置のBグループの各グループリストを格納する記憶手段と、負荷量監視手段と、グループ計算手段と、グループ解除手段と、重み情報計算手段と、を有し、
前記負荷量監視手段は、
前記記憶手段の前記アクセス通信網の通信装置のトラヒック量に基づいて、該アクセス通信網の全ての通信装置の現在の負荷量の和を算出し、該現在の負荷量の和が所定の閾値以下である場合は、前記グループ解除手段を呼び出し、該現在の負荷量の和が該所定の閾値より大きい場合は、前記グループリストのAグループに属している通信装置における現在の最大負荷量を算出し、該最大負荷量が該所定の閾値より大きい場合は、前記グループ計算手段を呼び出す手段を有し、
前記グループ計算手段は、
前記負荷量監視手段からの呼び出しにより起動され、前記記憶手段のAグループのグループリストに通信装置及びアクセスポイントがある場合は、該Aグループから負荷量の増加分が最大のアクセスポイントを前記記憶手段のBグループのグループリストに設定し、該Aグループに属している全てのアクセスポイントの負荷量を処理可能な最小の通信装置の数ｎを算出し、該通信装置の数ｎが該Aグループ及び該Bグループの全装置台数より少ない場合は、ｎ個の通信装置を該Aグループのグループリストに設定し、前記重み情報計算手段を呼び出して、該Aグループ及び該Bグループの重み情報を取得して、各アクセスポイントに対して、該アクセスポイントが帰属する通信装置のグループリストと該重み情報を送信する手段を有し、
前記グループ解除手段は、
前記負荷量監視手段からの呼び出しにより起動され、前記記憶手段のBグループのグループリストに属する全ての通信装置及びアクセスポイントを前記記憶手段のAグループのグループリストに設定し、前記記憶手段の前記グループリストを更新し、前記重み情報計算手段を呼び出して、該Aグループの重み情報を取得し、各アクセスポイントに対して、該アクセスポイントが帰属する通信装置のグループリスト及び該Aグループの重み情報を送信する手段を有し、
前記重み情報計算手段は、
前記グループ計算手段及び前記グループ解除手段からの呼び出しにより起動され、該グループ計算手段で設定された前記グループリストと各通信装置の負荷量に基づいて、前記Aグループの通信装置一台毎に分散するトラヒック割合と前記Bグループの通信装置一台毎に分散するトラヒック割合を求め、トラヒック処理が分散するように重み情報を設定する手段を有する。
【００１３】
本発明（請求項３）は、アクセス通信網において、アクセスポイントから発生するトラヒックの処理を複数の通信装置に負荷を分散して処理するための、通信網上の通信設備におけるトラヒック処理の負荷分散装置であって、
前記アクセス通信網内の前記アクセスポイント及び前記複数の通信装置と接続され、
前記通信装置で処理しているアクセスポイント単位のトラヒック量、大量のトラヒックが発生しているアクセスポイントが帰属する通信装置のAグループと、他のアクセスポイントが帰属する通信装置のBグループの各グループリストを格納する記憶手段と、通信処理手段と、負荷量監視手段と、グループ計算手段と、グループ解除手段とを有し、
前記通信処理手段は、
前記アクセス通信網内の通信装置と同様にトラヒック処理を行う手段を有し、
前記負荷量監視手段は、
前記記憶手段の前記アクセス通信網の通信装置及び前記通信処理手段のトラヒック量に基づいて、該アクセス通信網の全ての通信装置の現在の負荷量の和を算出し、該現在の負荷量の和が所定の閾値以下である場合は、前記グループ解除手段を呼び出し、該現在の負荷量の和が該所定の閾値より大きい場合は、前記グループリストのAグループに属している通信装置における現在の最大負荷量を算出し、該最大負荷量が該所定の閾値より大きい場合は、前記グループ計算手段を呼び出す手段を有し、
前記グループ計算手段は、
前記負荷量監視手段からの呼び出しにより起動され、前記記憶手段のAグループのグループリストに通信装置及びアクセスポイントがある場合は、該Aグループから負荷量の増加分が最大のアクセスポイントを前記記憶手段のBグループのグループリストに設定し、該Aグループに属している全てのアクセスポイントの負荷量を処理可能な最小の通信装置の数ｎを算出し、該通信装置の数ｎが該Aグループ及び該Bグループの全装置台数より少ない場合は、ｎ個の通信装置を該Aグループのグループリストに設定し、各アクセスポイントに対して、該アクセスポイントが帰属する通信装置のグループリストを送信する手段を有し、
前記グループ解除手段は、
前記負荷量監視手段からの呼び出しにより起動され、前記記憶手段のBグループのグループリストに属する全ての通信装置及びアクセスポイントを前記記憶手段のAグループのグループリストに設定し、前記記憶手段の前記グループリストを更新し、各アクセスポイントに対して、該アクセスポイントが帰属する通信装置のグループリストを送信する手段を有する。
【００１４】
本発明（請求項４）は、アクセス通信網において、アクセスポイントから発生するトラヒックの処理を複数の通信装置に負荷を分散して処理するための、通信網上の通信設備におけるトラヒック処理の負荷分散装置であって、
前記アクセス通信網内の前記アクセスポイント及び前記複数の通信装置と接続され、
前記通信装置で処理しているアクセスポイント単位のトラヒック量、大量のトラヒックが発生しているアクセスポイントが帰属する通信装置のAグループと、他のアクセスポイントが帰属する通信装置のBグループの各グループリストを格納する記憶手段と、通信処理手段と、負荷量監視手段と、グループ計算手段と、グループ解除手段と、重み情報計算手段と、を有し、
前記通信処理手段は、
前記アクセス通信網内の通信装置と同様にトラヒック処理を行う手段を有し、
前記負荷量監視手段は、
前記記憶手段の前記アクセス通信網の通信装置及び前記通信処理手段のトラヒック量に基づいて、該アクセス通信網の全ての通信装置の現在の負荷量の和を算出し、該現在の負荷量の和が所定の閾値以下である場合は、前記グループ解除手段を呼び出し、該現在の負荷量の和が該所定の閾値より大きい場合は、前記グループリストのAグループに属している通信装置における現在の最大負荷量を算出し、該最大負荷量が該所定の閾値より大きい場合は、前記グループ計算手段を呼び出す手段を有し、
前記グループ計算手段は、
前記負荷量監視手段からの呼び出しにより起動され、前記記憶手段のAグループのグループリストに通信装置及びアクセスポイントがある場合は、該Aグループから負荷量の増加分が最大のアクセスポイントを前記記憶手段のBグループのグループリストに設定し、該Aグループに属している全てのアクセスポイントの負荷量を処理可能な最小の通信装置の数ｎを算出し、該通信装置の数ｎが該Aグループ及び該Bグループの全装置台数より少ない場合は、ｎ個の通信装置を該Aグループのグループリストに設定し、前記重み情報計算手段を呼び出して、該Aグループ及び該Bグループの重み情報を取得して、各アクセスポイントに対して、該アクセスポイントが帰属する通信装置のグループリストと該重み情報を送信する手段を有し、
前記グループ解除手段は、
前記負荷量監視手段からの呼び出しにより起動され、前記記憶手段のBグループのグループリストに属する全ての通信装置及びアクセスポイントを前記記憶手段のAグループのグループリストに設定し、前記記憶手段の前記グループリストを更新し、前記重み情報計算手段を呼び出して、該Aグループの重み情報を取得し、各アクセスポイントに対して、該アクセスポイントが帰属する通信装置のグループリスト及び該Aグループの重み情報を送信する手段を有し、
前記重み情報計算手段は、
前記グループ計算手段及び前記グループ解除手段からの呼び出しにより起動され、該グループ計算手段で設定された前記グループリストと各通信装置の負荷量に基づいて、前記Aグループの通信装置一台毎に分散するトラヒック割合と前記Bグループの通信装置一台毎に分散するトラヒック割合を求め、トラヒック処理が分散するように重み情報を設定する手段を有する。
【発明の効果】
【００１５】
本発明では、災害発生時、イベント開催時にアクセス通信網全体のトラヒック処理能力を超えるトラヒックが一部のアクセスポイントから発生することを想定している。この想定のもと、本発明を用いることで、一部のアクセスポイントから大量のトラヒックが発生した場合でも、これらのアクセスポイントが帰属する通信装置と、他のアクセスポイントが帰属する通信装置が分けられているため、トラヒック量が通常なアクセスポイントを利用しているユーザの通信を確保しつつ、トラヒック処理による負荷を分散することができると考えられる。
【００１６】
これによって、アクセス網全体における輻輳による影響の範囲拡大を抑える効果があると考えられる。
【図面の簡単な説明】
【００１７】
【図１】アクセス通信網の例である。
【図２】アクセスポイントと通信装置の接続例である。
【図３】本発明の第１の実施の形態におけるシステム構成図である。
【図４】本発明の第１の実施の形態におけるグループ調整装置の内部構成図である。
【図５】本発明の第１の実施の形態における負荷量監視部の動作のフローチャートである。
【図６】本発明の第１の実施の形態におけるグループ計算部の動作のフローチャートである。
【図７】本発明の第１の実施の形態におけるグループ解除部の動作のフローチャートである。
【図８】本発明の第１の実施の形態におけるグループ調整装置の機能開始時に必要な初期動作のフローチャートである。
【図９】本発明の第２の実施の形態におけるグループ調整装置の構成図である。
【図１０】本発明の第２の実施の形態におけるグループ計算部の動作のフローチャートである。
【図１１】本発明の第２の実施の形態における重み情報計算部の動作のフローチャートである。
【図１２】本発明の第２の実施の形態におけるグループ解除部の動作のフローチャートである。
【図１３】本発明の第３の実施の形態におけるシステム構成図である。
【図１４】本発明の第３の実施の形態における調整機能付通信装置の構成図である。
【図１５】本発明の第３の実施の形態における負荷量監視部の動作のフローチャートである。
【図１６】本発明の第３の実施の形態におけるグループ計算部の動作のフローチャートである。
【図１７】本発明の第３の実施の形態における調整機能付通信装置の機能開始時に必要な初期動作のフローチャートである。
【図１８】本発明の第４の実施の形態における調整機能付通信装置の構成図である。
【図１９】本発明の第４の実施の形態におけるグループ計算部の動作のフローチャートである。
【図２０】本発明の第４の実施の形態における重み情報計算部の動作のフローチャートである。
【図２１】本発明の第４の実施の形態におけるグループ解除部の動作のフローチャートである。
【図２２】評価に用いたアクセス通信網の例である。
【図２３】従来技術と本発明のアクセス通信網全体における呼損率の比較である。
【図２４】従来技術と本発明のＡグループに属するアクセスポイント（ａ〜ｄ）における呼損失の比較である。
【図２５】従来技術と本発明のBグループに属するアクセスポイント（ｅ）における呼損率の比較である。
【図２６】従来技術と本発明のアクセス通信網全体における完了呼数の比較である。
【図２７】従来技術と本発明のアクセス通信網全体における不完了呼数の比較である。
【発明を実施するための形態】
【００１８】
以下、図面と共に本発明の実施の形態を説明する。
【００１９】
［第１の実施の形態］
図３は、本発明の第１の実施の形態におけるシステム構成図である。
【００２０】
同図に示すシステムは、グループ調整装置１００と複数の通信装置１０と複数のアクセスポイント２０から構成される。
【００２１】
従来技術とは以下の点が異なる。
【００２２】
大量のトラヒックが発生しているアクセスポイントが帰属する通信装置のグループと、他アクセスポイントが帰属する通信装置のグループを設定し、全てのアクセスポイントに対して、帰属する通信装置グループを通知するための装置として、グループ調整装置１００をアクセス通信網内に設置する。グループ調整装置１００は、アクセスポイント２０と接続され、帰属する通信装置グループのリストを送信する。通信装置グループのリストを受信したアクセスポイント２０は、リストに記載されている通信装置１０に対して、ラウンドロビン等を用いたトラヒック処理の分散を実施する。また、グループ調整装置１００は通信装置１０とも接続され、アクセスポイント単位で処理しているトラヒック量のデータを定期的に受信し、通信装置１０のトラヒック量が予め設定されている閾値を超えた場合、通信装置１０、および、アクセスポイント２０のグループ設定を実施する。
【００２３】
以下にグループ調整装置１００Aについて詳細に説明する。
【００２４】
図４は、本発明の第１の実施の形態におけるグループ調整装置の内部構成を示す。
【００２５】
グループ調整装置１００Aは、負荷量監視部１１０、グループ計算部１２０、グループ解除部１３０、記憶部１４０を有する。
【００２６】
負荷監視部１１０は、通信装置１０で処理しているトラヒック量をアクセスポイント単位で監視し、負荷量閾値Zと現在の各通信装置の負荷量を比較する。
【００２７】
グループ計算部１２０は、負荷量が増加しているアクセスポイントと、他のアクセスポイントとで、帰属する通信装置のグループを記憶部１４０内のグループリストに設定し、帰属する通信装置のグループリストをアクセスポイント２０に送信する。
【００２８】
グループ解除部１３０は、通信装置１０、アクセスポイントのグループ設定を解除し、全ての通信装置に帰属するとした通信装置のグループリストをアクセスポイント２０に送信する。
【００２９】
記憶部１４０は、調整フラグ（Y）、負荷閾値（Z）、通信装置／アクセスポイントグループリストA、通信装置／アクセスポイントグループリストBを保持する。また、この他に、図示しないが、負荷監視部１１０で取得した通信装置１０で処理しているアクセスポイント単位のトラヒック量を保持しているものとする。
【００３０】
グループは2種類用意し(A、B)、初期設定時には、全ての通信装置(N台あるとする)１０、アクセスポイント２０はAグループに属するものとする。グループ調整装置１００Aが起動されると、トラヒック量が急増したアクセスポイントと、そのトラヒックを処理する通信装置をBグループ、他のアクセスポイントと通信装置をAグループに設定し、各グループ内で均等にトラヒック処理の分散を実施する。ここで、「トラヒック量の急増」とは、今回取得したトラヒック量−前回取得したトラヒック量＞所定の値となっている場合を指す。
【００３１】
図５は、本発明の第１の実施の形態における負荷量監視部の動作のフローチャートである。
【００３２】
負荷量監視部１１０では、全通信装置の負荷量（例：通信装置内で処理しているトラヒック量）、および、前回監視した時点からの負荷量の増加分をアクセスポイント単位で定期的に監視し、記憶部１４０に格納している。調整フラグY＞０である場合は(ステップ１０１,Yes)、負荷量監視部１１０は、通信装置１０のトラヒック量を取得し（ステップ１０２）、記憶部１４０の通信装置／アクセスポイントグループリストA及び通信装置／アクセスポイントグループリストB を参照して、A、Bグループに属している全て(Ｎ台)の通信装置１０の現在の負荷量の和ΣZ'を算出する（ステップ１０３）。ΣZ'＜Ｎ台分のN×Z（負荷閾値）であれば（ステップ１０４,Yes）、アクセスポイント２０のグループ設定を解除するためにグループ解除部１３０を呼び出して、アクセスポイントのグループ設定を解除する(ステップ１０５)。負荷量閾値Zは固定値であり、事前に記憶部１４０に格納しておく。
【００３３】
一方、ΣZ'≧Ｎ台分のN×Z（負荷閾値）であれば（ステップ１０４,No）、Aグループに属する通信装置１０の負荷量から最大のものを負荷量Z'maxとして算出し(ステップ１０６)、記憶部１４０の保持データである負荷量閾値Zと比較する(ステップ１０７)。Z'max ＞Z だった場合(ステップ１０７,Yes)、アクセスポイント２０のグループ分けをするために、グループ計算部１２０を呼び出し、負荷量が増加したアクセスポイントと他のアクセスポイントとでグループ分けを実施する(ステップ１０８)。また、調整機能フラグYが0の場合(ステップ１０１、No)、グループ解除部１３０を呼び出しアクセスポイントのグループ設定を解除して、グループ調整機能を停止する（ステップ１０９）。
【００３４】
図６は、本発明の第１の実施の形態におけるグループ計算部の動作のフローチャートである。
【００３５】
グループ計算部１２０は、負荷量監視部１１０に呼び出される形で起動される。グループ計算部１２０では、まず、記憶部１４０の通信装置／アクセスポイントグループリストAを参照し、Aグループに属する通信装置、アクセスポイントが存在するかを確認し(ステップ２０１)、存在しなかった場合(ステップ２０１,No) 、全てのアクセスポイントで大量のトラヒックが発生していると判断し、当該グループ計算部１２０の処理を終了する。Aグループに属する通信装置、アクセスポイントが存在した場合(ステップ２０１,Yes)、Aグループに属するアクセスポイントの中から負荷量の増加分が最大のアクセスポイントを、通信装置／アクセスポイントグループリストBに設定する(ステップ２０２)。Aグループに属するアクセスポイントの負荷量を処理可能な最小の通信設備数nを算出し(ステップ２０３)、全装置台数Nと比較する(ステップ２０４)。
【００３６】
n＞N だった場合(ステップ２０４,No)、再度通信装置／アクセスポイントグループリストAに属するアクセスポイントの中から負荷量の増加分が最大のアクセスポイントを通信装置／アクセスポイントグループリストBに設定した上でnを計算し直す（ステップ２０１に戻る）。n ≦ N だった場合(ステップ２０４,Yes)、n台の通信装置を通信装置／アクセスポイントグループリストAに設定し、残りの通信装置を通信装置／アクセスポイントグループリストBに設定する（ステップ２０５）。グループ設定を有効にするために、各アクセスポイントに対して、帰属する通信装置のグループリストを送信する(ステップ２０６)。
【００３７】
図７は、本発明の第１の実施の形態におけるグループ解除部の動作のフローチャートである。
【００３８】
グループ解除部１３０は、負荷量監視部１１０に呼び出される形で起動される。グループ解除部１３０では、通信装置／アクセスポイントグループリストB に存在する全ての通信装置、アクセスポイントを通信装置／アクセスポイントグループリストAに設定する(ステップ３０１)。グループ設定を有効にするために、各アクセスポイントに対して、帰属する通信装置のグループリストを送信する。これにより、グループリストを受信したアクセスポイントでは、当該装置内の通信装置グループリストを更新する(ステップ３０２)。
【００３９】
図８は、本発明の第１の実施の形態におけるグループ調整装置の機能開始に必要な初期動作フローチャートである。
【００４０】
グループ調整装置１００Aの機能を始動させるためには、記憶部１４０の調整機能フラグYを1に設定する(ステップ４０１)。次に、負荷量監視部１１０を動作させて、通信装置の負荷量が負荷量閾値Zを超えるまで待機する(ステップ４０２)。なお、グループ調整装置１００の機能を停止する際には、調整機能フラグYを0に設定することで、グループ設定が解除され、負荷量監視部１１０の機能が停止する。
【００４１】
［第２の実施の形態］
本実施の形態のシステム構成は第１の実施の形態の図３と同様である。
【００４２】
従来の技術とは以下の点が異なる。
【００４３】
大量のトラヒックが発生しているアクセスポイントが帰属する通信装置のグループと、他のアクセスポイントが帰属する通信装置のグループを設定し、全てのアクセスポイントに対して、帰属する通信装置のグループと、帰属する通信装置に対して分散するトラヒック量の割合（重み情報）を、通知するための装置としてグループ調整装置１００をアクセス通信網内に設置する。グループ調整装置１００Bは、アクセスポイント２０と接続され、帰属する通信装置１０のグループと重み情報のリストを送信する。通信装置グループのリストを受信したアクセスポイント２０は、リストに記載されている通信装置に対して、重み情報を基にした重み付けラウンドロビン等を用いたトラヒック処理の分散を実施する。また、グループ調整装置１００Bは通信装置１０とも接続し、アクセスポイント単位で処理しているトラヒック量のデータを定期的に受信し、通信装置１０のトラヒック量が予め設定されている閾値を超えた場合、通信装置１０、および、アクセスポイント２０のグループ設定を実施する。
【００４４】
図９は、本発明の第２の実施の形態におけるグループ調整装置の構成を示す。同図において、図４の構成と同一部分には同一符号を付す。
【００４５】
図９に示すグループ調整装置１００Bは、負荷量監視部１１０、グループ計算部１２０、重み情報計算部１５０、グループ解除部１３０、記憶部１４０を有する。図９に示す構成は、図４の構成に重み情報計算部１５０が付加された構成である。
【００４６】
負荷量監視部１１０は、通信装置１０で処理しているトラヒック量をアクセスポイント単位で監視し、負荷量閾値Zと現在の各通信装置の負荷量を比較する。
【００４７】
グループ計算部１２０は、負荷量が増加しているアクセスポイントと、他のアクセスポイントとで、帰属する通信装置のグループを記憶部１４０内のグループリストに設定し、帰属する通信装置のグループリストと重み情報をアクセスポイント２０に送信する。
【００４８】
重み情報計算部１５０は、グループ計算部１２０で設定したグループリストと各通信装置１０の負荷量を基に、重み情報を算出する。
【００４９】
グループ解除部１３０は、通信装置１０、アクセスポイント２０のグループ設定を解除し、全ての通信装置に帰属するとした通信装置のグループリストをアクセスポイント２０に送信する。
【００５０】
記憶部１４０は、調整フラグ（Y）、負荷閾値（Z）、通信装置／アクセスポイントグループリストA、通信装置／アクセスポイントグループリストBを保持する。また、この他に、図示しないが、負荷監視部１１０で取得した通信装置１０で処理しているアクセスポイント単位のトラヒック量を保持しているものとする。
【００５１】
以下では、グループは2種類用意し(A,B)、初期設定時には、全ての通信装置(N台あるとする)、アクセスポイントはAグループに属する。グループ調整装置１００Bが起動されると、トラヒック量が急増したアクセスポイントと、そのトラヒックを処理する通信装置(NB台あるとする)をBグループとし、他のアクセスポイント、通信装置(NA台あるとする)をAグループに設定する。Aグループに属するアクセスポイントでは、Aグループに属する通信装置に対して均等にトラヒック処理の分散を実施する。Bグループに属するアクセスポイントでは、Bグループに属する通信装置だけでなく、Aグループの通信装置の負荷量に余裕がある場合は、Aグループの通信装置も含めて、トラヒック処理の分散を実施する。
【００５２】
以下に、上記の構成における動作を説明する。
【００５３】
負荷量監視部１１０の動作は、第１の実施の形態の図５に示す動作と同様であるため、その説明を省略する。
【００５４】
図１０は、本発明の第２の実施の形態におけるグループ計算部の動作のフローチャートである。
【００５５】
グループ計算部１２０は、負荷量監視部１１０に呼び出される形で起動される。グループ計算部１２０では、まず、記憶部１４０の通信装置／アクセスポイントグループリストAを参照し、Aグループに属する通信装置、アクセスポイントが存在するかを確認し（ステップ５０１）、存在しなかった場合（ステップ５０１,No）、全てのアクセスポイントで大量のトラヒックが発生していると判断し、当該グループ計算部１２０の処理を終了する。Aグループに属する通信装置、アクセスポイントが存在した場合(ステップ５０１,Yes)、Aグループに属するアクセスポイントの中から負荷量の増加分が最大のアクセスポイントを通信装置／アクセスポイントグループリストB に設定する(ステップ５０２)。Aグループに属するアクセスポイントの負荷量を処理可能な、最小の通信設備数nを算出し（ステップ５０３）、全装置台数Nと比較する(ステップ５０４)。n＞N だった場合(ステップ５０４、No)、再度通信装置／アクセスポイントグループリストAに属するアクセスポイントの中から負荷量の増加分が最大のアクセスポイントを通信装置／アクセスポイントグループリストBに設定した上でnを計算し直す(ステップ５０１に戻る）。n ≦ N だった場合(ステップ５０４,Yes)、n台の通信装置を通信装置／アクセスポイントグループリストAに設定し(ステップ５０５)、残りの通信装置を通信装置／アクセスポイントグループリストBに設定する(ステップ５０６)。重み情報計算部を呼び出し、A、Bグループそれぞれの重み情報を取得する（ステップ５０６）。グループ設定を有効にするために、全てのアクセスポイントに対して、帰属する通信装置のグループリスト、および、重み情報を送信する。これにより、アクセスポイント２０は、通信装置グループリストと重み情報を更新する（ステップ５０７）。
【００５６】
図１１は、本発明の第２の実施の形態における重み情報計算部の動作のフローチャートである。
【００５７】
重み情報計算部１５０は、グループ計算部１２０、および、グループ解除部１３０に呼び出される形で起動される。重み情報計算部１５０では、計算対象がAグループかBグループかで、重み情報の計算方法が異なる。
【００５８】
計算対象がAグループの場合（ステップ６０１,No）、記憶部１４０の通信装置／アクセスポイントグループリストAを参照して、Aグループに属するアクセスポイントがAグループに属する全ての通信装置に対して1/NAの割合でトラヒック処理を分散するように重み情報を設定する（ステップ６０２）。
【００５９】
計算対象がBグループの場合（トラヒック量が急増したアクセスポイントと、そのトラヒックを処理する通信装置(NB台あるとする)があるグループ）(ステップ６０１,Yes)、通信装置のトラヒック量を基に、通信装置／アクセスポイントグループリストAにおける一台の通信装置にかかる現在の負荷量Z'A（Bグループのアクセスポイントから分散されたトラヒック分は除く）と、通信装置／アクセスポイントグループリストBにおける一台の通信装置にかかる負荷量Z'Bを算出する(ステップ６０３)。負荷量閾値Zを用いて、Z−Z'A=T×Z'BとなるようにT（[0≦T＜1]）を算出する（ステップ６０４）。TはAグループに属する通信装置全体に分散可能なトラヒックの割合を表しており、Tを用いてAグループの通信装置一台毎に分散するトラヒックの割合WA（=T/NA）と、Bグループの通信装置一台毎に分散するトラヒックの割合WB(=(1−T)/NB)を算出し(ステップ６０５)、Bグループに属するアクセスポイントがBグループに属する全ての通信装置に対してWBの割合、Aグループに属する全ての通信装置にWAの割合でトラヒック処理を分散するように重み情報を設定する(ステップ６０６)。設定した重み情報は、呼び出し元のグループ計算部１２０、および、グループ解除部１３０で使用される。
【００６０】
図１２は、本発明の第２の実施の形態におけるグループ解除部の動作フローチャートである。
【００６１】
グループ解除部１３０は、負荷量監視部１１０に呼び出される形で起動される。グループ解除部１３０では、通信装置／アクセスポイントグループリストBに存在する全ての通信装置、アクセスポイントを通信装置／アクセスポイントグループリストAに設定する(ステップ７０１)。重み情報計算部１５０を呼び出し、Aグループの重み情報を取得する(ステップ７０２)。グループ設定を有効にするために、全てのアクセスポイントに対して、帰属する通信装置のグループリスト、および、重み情報を送信する。これによりアクセスポイント２０は、通信装置グループリストと重み情報を更新する(ステップ７０３)。
【００６２】
本実施の形態におけるグループ調整装置の機能開始に必要な初期動作については、第１の実施の形態における図８のフローチャートと同様であるので、その説明を省略する。
【００６３】
[第３の実施の形態]
図１３は、本発明の第３の実施の形態におけるシステム構成を示す。上記の第１、第２の実施の形態では、グループ調整装置１００を通信装置及びアクセスポイントと接続したシステム構成であったが、本実施の形態では、調整機能付き通信装置２００をアクセス通信網内に設け、通信装置１０、アクセスポイント２０と接続した構成である。
【００６４】
従来技術とは以下の点が異なる。
【００６５】
大量のトラヒックが発生しているアクセスポイントが帰属する通信装置のグループと、他のアクセスポイントが帰属する通信装置のグループを設定し、全てのアクセスポイントに対して、帰属する通信装置のグループを通知するための機能を持つ通信装置として、調整機能付通信装置２００をアクセス通信網内に設置する。調整機能付通信装置２００は、アクセスポイントと接続し、帰属する通信装置グループのリストを送信する。通信装置グループのリストを受信したアクセスポイントは、リストに記載されている通信装置に対してラウンドロビン等を用いたトラヒック処理の分散を実施する。また、調整機能付通信装置２００は他の通信装置とも接続し、アクセスポイント単位で処理しているトラヒック量のデータを定期的に受信し、通信装置のトラヒック量が予め設定されている閾値を超えた場合、通信装置のグループ設定を実施する。
【００６６】
図１４は、本発明の第３の実施の形態における調整機能付通信装置の構成を示す。
【００６７】
調整機能付通信装置２００aは、通信処理部２１０、負荷量監視部２２０、グループ計算部２３０、グループ解除部２４０、記憶部２５０を有する。
【００６８】
通信処理部２１０は、他の通信装置と同様にトラヒック処理を行う機能を有する。
【００６９】
負荷量監視部２２０は、通信装置１０、および、通信処理部２１０で処理しているトラヒック量をアクセスポイント単位で監視し、負荷量閾値Zと現在の各通信装置の負荷量を比較する。
【００７０】
グループ計算部２３０は、負荷量が増加しているアクセスポイントと、他のアクセスポイントとで、帰属する通信装置のグループを記憶部２５０内のグループリストに設定し、帰属する通信装置のグループリストをアクセスポイントに送信する。
【００７１】
グループ解除部２４０は、通信装置１０、アクセスポイント２０のグループ設定を解除し、全ての通信装置に帰属するとした通信装置のグループリストをアクセスポイント２０に送信する。
【００７２】
記憶部２５０は、機能フラグ（Y）、負荷閾値（Z）、通信装置/アクセスポイントグループリストA、通信装置/アクセスポイントグループリストBを保持する。また、この他に、図示しないが、負荷監視部１１０で取得した通信装置１０で処理しているアクセスポイント単位のトラヒック量を保持しているものとする。
【００７３】
以下の説明では、グループは2種類用意し(A、B)、初期設定時には、調整機能付通信装置２００aを含めた全ての通信装置(N台あるとする)、アクセスポイントはAグループに属するものとする。調整機能付通信装置２００Aが起動されると、トラヒック量が急増したアクセスポイントと、そのトラヒックを処理する通信装置をBグループ、他のアクセスポイント、通信装置をAグループに設定し、各グループ内で均等にトラヒック処理の分散を実施するものとする。
【００７４】
通信処理部２１０では、他の一般的な通信装置と同様に、トラヒックの処理を実施する。
【００７５】
図１５は、本発明の第３の実施の形態における負荷量監視部の動作のフローチャートである。
【００７６】
負荷量監視部２２０では、記憶部１４０の調整機能フラグ(Y)が０である場合は、ステップ８０９に移行し、そうでない場合は（ステップ８０１,Yes）、全ての通信装置１０と通信処理部２１０の負荷量（例：通信装置内で処理しているトラヒック量）、および、前回監視した時点からの負荷量の増加分をアクセスポイント単位で定期的に監視し、通信装置１０と通信処理部２１０のトラヒック量を取得する(ステップ８０２)。記憶部２５０の通信装置／アクセスポイントグループリストA及び通信装置／アクセスポイントグループリストB を参照して、A、Bグループに属している全ての通信装置の負荷量の和ΣZ'を算出し(ステップ８０３)、Zと比較する(ステップ８０４)。ΣZ'＜N×Z だった場合(ステップ８０４,Yes)、グループ解除部２４０を呼び出し、アクセスポイントのグループ設定を解除する(ステップ８０５)。負荷量閾値Zは固定値であり、事前に設定しておく。
【００７７】
ΣZ'≧ N×Z だった場合(ステップ８０４,No)、負荷量監視部２２０は、通信装置／アクセスポイントグループリストA（Aグループ）に属している通信装置の負荷量から最大のものを負荷量Z'maxとして算出し(ステップ８０６)、記憶部２５０に格納されている負荷量閾値Zと比較する（ステップ８０７）。Z'max＞ Z だった場合(ステップ８０７,Yes)、グループ計算部２３０を呼び出し、負荷量が増加したアクセスポイントと他のアクセスポイントとのグループ分けを実施する(ステップ８０８)。
【００７８】
上記のステップ８０１において、調整機能フラグYが0の場合(ステップ８０１,No)、グループ解除部２４０を呼び出し、アクセスポイントのグループ設定を解除して、グループ調整機能を停止する(ステップ８０９)。
【００７９】
図１６は、本発明の第３の実施の形態におけるグループ計算部の動作のフローチャートである。
【００８０】
グループ計算部２３０は、負荷量監視部２２０に呼び出される形で起動される。グループ計算部２３０では、まず、記憶部２５０の通信装置／アクセスポイントグループリストAを参照してAグループに属する通信装置、アクセスポイントが存在するかを確認し(ステップ９０１)、存在しなかった場合(ステップ９０１,No)、全てのアクセスポイントで大量のトラヒックが発生していると判断し、当該グループ計算部２３０の処理を終了する。Aグループに属する通信装置、アクセスポイントが存在した場合(ステップ９０１,Yes)、Aグループに属するアクセスポイントの中から負荷量の増加分が最大のアクセスポイントを通信装置／アクセスポイントグループリストBに設定する（ステップ９０２）。通信装置／アクセスポイントグループリストAに属するアクセスポイントの負荷量を処理可能な、最小の通信設備数nを算出し(ステップ９０３)、全装置台数Nと比較する(ステップ９０４)。n＞N だった場合（ステップ９０４,No）、再度通信装置／アクセスポイントグループリストAに属するアクセスポイントの中から負荷量の増加分が最大のアクセスポイントを通信装置／アクセスポイントグループリストBに設定した上でnを計算し直す(ステップ９０１に戻る)。n ≦ N だった場合(ステップ９０４,Yes)、n台の通信装置を通信装置／アクセスポイントグループリストAに設定し、残りの通信装置を通信装置／アクセスポイントグループリストBに設定する（n台の通信装置を設定する際に、原則として調整機能付通信装置はAグループに設定する）(ステップ９０５)。グループ設定を有効にするために、全てのアクセスポイント２０に対して、帰属する通信装置のグループリストを送信する。これにより、アクセスポイント２０は、通信装置グループリストを更新する（ステップ９０６）。
【００８１】
グループ解除部２４０の動作は、第１の実施の形態における図７の処理と同様であるので、その説明を省略する。
【００８２】
図１７は、本発明の第３の実施の形態における調整機能付通信装置の機能開始に必要な初期動作のフローチャートである。調整機能付調整装置のグループ調整機能を始動させるためには、第１、第２の実施の形態と同様に、記憶部２５０の調整機能フラグYを1に設定する。次に、負荷量監視部２２０を動作させて、通信設備の負荷量が負荷量閾値Zを超えるまで待機する。なお、調整機能付通信装置２００aのグループ調整機能を停止する際には、調整機能フラグYを0に設定することで、グループ設定が解除され、負荷量監視部２２０の機能が停止する。
【００８３】
[第４の実施の形態]
本実施の形態におけるシステム構成は、第３の実施の形態の図１３と同様である。
【００８４】
従来技術とは以下の点が異なる。
【００８５】
大量のトラヒックが発生しているアクセスポイントが帰属する通信装置のグループと、他のアクセスポイントが帰属する通信装置のグループを設定し、全てのアクセスポイントに対して、帰属する通信装置のグループと、帰属する通信装置に対して分散するトラヒック量の割合（重み情報）を、通知する機能を持つ通信装置として、調整機能付通信装置２００Bをアクセス通信網内に設置する。調整機能付通信装置２００Bは、アクセスポイントと接続し、帰属する通信装置グループと重み情報のリストを送信する。通信装置グループのリストを受信したアクセスポイントでは、リストに記載されている通信装置に対して、重み情報を基にした重み付けラウンドロビン等を用いたトラヒック処理の分散を実施する。また、調整機能付通信装置２００Bは他の通信装置とも接続し、アクセスポイント単位で処理しているトラヒック量のデータを定期的に受信し、通信装置のトラヒック量が予め設定されている閾値を超えた場合、通信装置のグループ設定を実施する。
【００８６】
図１８は、本発明の第４の実施の形態における調整機能付通信装置の構成を示す。同図において、第３の実施の形態の図１４の構成と同一部分には同一符号を付す。
【００８７】
同図に示す調整機能付通信装置２００Bは、通信処理部２１０、負荷量監視部２２０、グループ計算部２３０、重み情報計算部２６０、グループ解除部２４０、記憶部２５０を有する。
【００８８】
通信処理部２１０は、他の通信装置と同様にトラヒック処理を行う機能を有する。
【００８９】
負荷量監視部２２０は、通信装置１０、および、通信処理部２１０で処理しているトラヒック量をアクセスポイント単位で監視し、負荷量閾値Zと現在の各通信装置の負荷量を比較する。
【００９０】
グループ計算部２３０は、負荷量が増加しているアクセスポイントと、他のアクセスポイントとで、帰属する通信装置のグループを記憶部２５０内のグループリストに設定し、帰属する通信装置のグループリストと重み情報をアクセスポイントに送信する。
【００９１】
重み情報計算部２６０は、グループ計算部２３０で設定したグループリストと各通信装置の負荷量を基に、重み情報を算出する。
【００９２】
グループ解除部２４０は、通信装置１０、アクセスポイント２０のグループ設定を解除し、全ての通信装置に帰属するとした通信装置のグループリストをアクセスポイントに送信する。
【００９３】
記憶部２５０は、機能フラグ（Y）、負荷閾値（Z）、通信装置/アクセスポイントグループリストA、通信装置/アクセスポイントグループリストBを保持する。また、この他に、図示しないが、負荷監視部１１０で取得した通信装置１０で処理しているアクセスポイント単位のトラヒック量を保持しているものとする。
【００９４】
以下の説明では、グループは2種類用意し(A，B)、初期設定時には、全ての通信装置(N台あるとする)、アクセスポイントはAグループに属する。調整機能付通信装置２００Bが起動されると、トラヒック量が急増したアクセスポイントと、そのトラヒックを処理する通信装置(NB台あるとする)をBグループ、他のアクセスポイント、通信装置(NA台あるとする)をAグループに設定する。Aグループに属するアクセスポイントでは、Aグループに属する通信装置に対して均等にトラヒック処理の分散を実施する。Bグループに属するアクセスポイントでは、Bグループに属する通信装置だけでなく、Aグループの通信装置の負荷量に余裕がある場合は、Aグループの通信装置も含めて、トラヒック処理の分散を実施する。
【００９５】
通信処理部２１０では、他の一般的な通信装置と同様に、トラヒックの処理を実施する。
【００９６】
負荷量監視部２２０の処理は、第３の実施の形態の図１５に示す処理と同様であるため、その説明を省略する。
【００９７】
図１９は、本発明の第４の実施の形態におけるグループ計算部の動作のフローチャートである。グループ計算部２３０は、負荷量監視部２２０に呼び出される形で実施される。グループ計算部２３０では、まず、記憶部２５０の通信装置／アクセスポイントグループリストAを参照してAグループに属する通信装置、アクセスポイントが存在するかを確認し（ステップ１１０１）、存在しなかった場合（ステップ１１０１,No）、全てのアクセスポイントで大量のトラヒックが発生していると判断し、当該グループ計算部２３０の処理を終了する。通信装置／アクセスポイントグループリストAに属する通信装置、アクセスポイントが存在した場合(ステップ１１０１,Yes)、通信装置／アクセスポイントグループリストAに属するアクセスポイントの中から負荷量の増加分が最大のアクセスポイントを通信装置／アクセスポイントグループリストBに設定する(ステップ１１０２)。通信装置／アクセスポイントグループリストAに属するアクセスポイントの負荷量を処理可能な、最小の通信設備数nを算出し(ステップ１１０３)、全装置台数Nと比較する(ステップ１１０４)。n＞ N だった場合（ステップ１１０４,No）、再度通信装置／アクセスポイントグループリストAに属するアクセスポイントの中から負荷量の増加分が最大のアクセスポイントを通信装置／アクセスポイントグループリストＢに設定した上でnを計算する(ステップ１１０１に戻る)。n ≦ N だった場合(ステップ１１０４,Yes)、n台の通信装置を通信装置／アクセスポイントグループリストAに設定し、残りの通信装置をBグループに設定する（n台の通信装置を設定する際に、原則として調整機能付通信装置２００BはAグループに設定する）(ステップ１１０５)。重み情報計算部２６０を呼び出し、A、Bグループそれぞれの重み情報を取得する（ステップ１１０６）。グループ設定を有効にするために、全てのアクセスポイント２０に対して、帰属する通信装置のグループリスト、および、重み情報を送信する。これにより、アクセスポイント２０は、通信装置グループリストと重み情報を更新する（ステップ１１０７）。
【００９８】
図２０は、本発明の第４の実施の形態における重み情報計算部の動作のフローチャートである。
【００９９】
重み情報計算部２６０は、グループ計算部２３０、および、グループ解除部２４０に呼び出される形で実施される。重み情報計算部２６０では、計算対象がAグループかBグループかで、重み情報の計算方法が異なる。計算対象がAグループの場合(ステップ１２０１,No)、記憶部２５０の通信装置／アクセスポイントグループリストAを参照してAグループに属するアクセスポイントがAグループに属する全ての通信装置に対して1/NAの割合でトラヒック処理を分散するように重み情報を設定する(ステップ１２０２)。計算対象がAグループの場合(ステップ１２０１,Yes)、通信装置のトラヒック量を基に、通信装置／アクセスポイントグループリストA（Aグループ）における一台の通信装置にかかる現在の負荷量Z'A（Bグループのアクセスポイントから分散されたトラヒック分は除く）と、通信装置／アクセスポイントグループリストB（Bグループ）における一台の通信装置にかかる負荷量Z'Bを算出する(ステップ１２０３)。負荷量閾値Zを用いて、Z-Z'A=T×Z'BとなるようにT（[0≦T＜1]）を算出する（ステップ１２０４）。TはAグループに属する通信装置全体に分散可能なトラヒックの割合を表しており、Tを用いてAグループの通信装置一台毎に分散するトラヒックの割合WA（=T/NA）と、Bグループの通信装置一台毎に分散するトラヒックの割合WB(=(1−T)/NB)を算出し(ステップ１２０５)、Bグループに属するアクセスポイントがBグループに属する全ての通信装置に対してWBの割合、Aグループに属する全ての通信装置にWAの割合でトラヒック処理を分散するように重み情報を設定する（ステップ１２０６）。 設定した重み情報は、呼び出し元のグループ計算部、および、グループ解除部で使用される。
【０１００】
図２１は、本発明の第４の実施の形態におけるグループ解除部の動作のフローチャートである。
【０１０１】
グループ解除部２４０は、負荷量監視部２２０に呼び出される形で起動される。グループ解除部２４０では、通信装置／アクセスポイントグループリストBに存在する全ての通信装置、アクセスポイントを通信装置／アクセスポイントグループリストAに設定する（ステップ１３０１）。重み情報計算部２６０を呼び出し、Aグループの重み情報を取得する（ステップ１３０２）。グループ設定を有効にするために、全てのアクセスポイントに対して、帰属する通信装置のグループリスト、および、重み情報を送信する。これにより、アクセスポイント２０では、通信装置グループリストと重み情報を更新する（ステップ１３０３）。
【０１０２】
本実施の形態における調整機能付通信装置２００Bのグループ調整機能開始に必要な初期動作は、第３の実施の形態における図１７の動作と同様であるため、その説明を省略する。
【０１０３】
［評価例］
各実施の形態における"トラヒック処理の分散による輻輳の影響拡大の抑制効果"に関する評価例を以下に示す。
【０１０４】
図２２に評価に用いたアクセス通信網を示す。アクセス通信網では、3台の通信装置と5台のアクセスポイントがフルメッシュで接続されているものとする。トラヒックは電話サービスによるものを仮定し、5台のアクセスポイントのうち、アクセスポイントｅから大量の発呼(1000)が発生したとする。なお、通常時の発呼量を想定し、全てのアクセスポイントからは単位時間当たり10の発呼が追加で発生するものとする。発呼が成功した場合、2単位時間通信を行い、発呼が失敗した場合、1単位時間待機後、再度発呼するものとする。一台の通信装置における同時接続数は100とし、発呼は単位時間当たり100まで受付可能とするが、高負荷時における通信装置の処理性能低下を想定し、一台の通信装置における同時接続数が90%を超えた場合、発呼は10までしか受付けできないものとする。
【０１０５】
従来技術では、各アクセスポイントからの発呼を、全ての通信装置の同時接続数が均等になるように分散させるものとする。
【０１０６】
本発明では、アクセスポイントｅが通信装置ｂ，ｃに帰属し（Bグループ）、アクセスポイントａ〜ｄが通信装置ａに帰属する（Aグループ）ものとして、グループ別に発呼を分散させる。Bグループに属するアクセスポイントｅにおける発呼の分散方法は、
(1)通信装置ｂ、ｃでトラヒック処理の分散を実施する（第１、第３実施の形態）；
(2)方法(1)に加えて、通信装置ａに対しても、同時接続数が90%を超えない程度に、トラヒック処理の分散を実施する（第２、第４実施の形態）；
の2通りとする。
【０１０７】
従来技術、本発明（第１、第３の実施の形態）、および、本発明（第２、第４の実施の形態）をそれぞれ用いた場合について、Aグループに属するアクセスポイント（ａ〜ｄ）における呼損率、Bグループに属するアクセスポイント（ｅ）における呼損率、および、アクセス通信網全体における呼損率について、図２３、図２４、図２５に示す。
【０１０８】
図２４、図２５より、Bグループに属するアクセスポイントに関しては、従来技術と、本発明とで、呼損率に差はあまり見られない。しかし、Aグループに属するアクセスポイントに関しては、従来技術を用いた場合では呼損が発生しているのに対して、本発明（第１、第３の実施の形態）、本発明（第２、第４の実施の形態）どちらを用いた場合でも、呼損は発生しておらず、発呼量の少ないアクセスポイントの通信を確保することができている。
【０１０９】
図２３より、アクセス通信網全体における呼損率についても、本発明（第１、第３の実施の形態）、本発明（第２、第４の実施の形態）ともに、従来技術より低くなっているが、それは以下の理由によるものだと考えられる。図２６、図２７に従来技術、本発明を用いた場合の、アクセス通信網全体における完了呼数、および、不完了呼数を示す。図２６より、従来技術に対して、本発明を用いた場合の方が完了呼が多い。これは、従来技術を用いた場合、アクセスポイントｅの発呼を全ての通信装置で受付けた結果、全ての通信装置で同時接続数が90%を超えてしまい、発呼の受付量が10に下がってしまっているためと考えられる。本発明を用いた場合でも、アクセスポイントｅの発呼を受付けている通信装置ｂ、ｃでは同様の事象が起きていると想定されるが、通信装置ａはアクセスポイントａ〜ｅの発呼だけを受付けているため、通信装置ａの同時接続数が90%を超えておらず、発呼の受付量が下がらなかったと考えられる。これにより、本発明の呼損率は、従来技術より低くなったと考えられる。また、本発明（第１、第３の実施の形態）と本発明（第２、第４の実施の形態）との呼損率の差については、本発明（第２、第４の実施の形態）では、アクセスポイントｅの発呼の一部を、通信装置ａで受付けることで、本発明（第１、第３の実施の形態）に対して不完了呼が少なくなったためと考えられる（図２７）。
【０１１０】
なお、第１、第２の実施の形態のグループ調整装置１００及び第３、第４の実施の形態の調整機能付通信装置２００の構成要素の動作をプログラムとして構築し、グループ調整装置、調整機能付通信装置として利用されるコンピュータにインストールして実行させる、または、ネットワークを介して流通させることが可能である。
【０１１１】
本発明は、上記の実施の形態に限定されることなく、特許請求の範囲内において種々変更・応用が可能である。
【符号の説明】
【０１１２】
１０  通信装置
２０  アクセスポイント
１００  グループ調整装置
１１０  負荷量監視部
１２０  グループ計算部
１３０  グループ解除部
１４０  記憶部
１５０  重み情報計算部
２００  調整機能付通信装置
２１０  通信処理部
２２０  負荷量監視部
２３０  グループ計算部
２４０  グループ解除部
２５０  記憶部
２６０  重み情報計算部
【図１】
2014060610.tif 000003
【図２】
2014060610.tif 000004
【図３】
2014060610.tif 000005
【図４】
2014060610.tif 000006
【図５】
2014060610.tif 000007
【図６】
2014060610.tif 000008
【図７】
2014060610.tif 000009
【図８】
2014060610.tif 000010
【図９】
2014060610.tif 000011
【図１０】
2014060610.tif 000012
【図１１】
2014060610.tif 000013
【図１２】
2014060610.tif 000014
【図１３】
2014060610.tif 000015
【図１４】
2014060610.tif 000016
【図１５】
2014060610.tif 000017
【図１６】
2014060610.tif 000018
【図１７】
2014060610.tif 000019
【図１８】
2014060610.tif 000020
【図１９】
2014060610.tif 000021
【図２０】
2014060610.tif 000022
【図２１】
2014060610.tif 000023
【図２２】
2014060610.tif 000024
【図２３】
2014060610.tif 000025
【図２４】
2014060610.tif 000026
【図２５】
2014060610.tif 000027
【図２６】
2014060610.tif 000028
【図２７】
2014060610.tif 000029